(57)【要約】【課題】用紙へ印刷せずに、画像投影手段による投影像を用いて本紙に投影することで、印刷用紙の紙白と材質の違いや、スクリーン等、投影される媒体の材質の違いによる視覚的一致度の低下がなくし、あたかも本紙に印刷したような印刷像を観察者に提示する簡易的な色校正装置を提供すること。【解決手段】最終的な印刷の色をシミュレートした印刷像を投影するための画像投影手段と、前記画像投影手段から出力された印刷像を投影するための印刷用紙を有する簡易色校正装置を提供する。また、前記画像投影手段と前記印刷用紙は、外光を遮るようにした観察用ボックス内に設けられたものである。また、最終的な印刷の色をシミュレートした印刷像を、画像投影手段によって印刷用紙に投影し、色校正を行う簡易色校正方法を提供する。【選択図】      図１
2006308637.tif 000002
【特許請求の範囲】
【請求項１】
最終的な印刷の色をシミュレートした印刷像を投影するための画像投影手段と、前記画像投影手段から出力された印刷像を投影するための印刷用紙を有する簡易色校正装置。
【請求項２】
前記画像投影手段と前記印刷用紙は、外光を遮るようにした観察用ボックス内に設けられた請求項１記載の簡易色校正装置。
【請求項３】
最終的な印刷の色をシミュレートした印刷像を、画像投影手段によって印刷用紙に投影し、色校正を行う簡易色校正方法。
【発明の詳細な説明】
【技術分野】
【０００１】
本発明は、用紙へ印刷せずに画像投影手段で印刷像を投影して、その投影像を観察者にあたかも用紙に印刷してあるように提示して、印刷時の色校正を行う簡易的な色校正装置および色校正方法に関する。
【背景技術】
【０００２】
従来の印刷の色校正は、ビデオやカメラで撮影した画像や、スキャナで読み込んだ画像を、コンピュータのモニタ上で色を修正して、印刷本機（本機校正）や、４色平台校正機を用いて、インキ量を調整しながら数回の試し刷りを行っていた。最近では、本機校正や、平台校正を用いずに、カラープリンタで印刷本機の色をシミュレートした出力を行うことで印刷後の色を確認するという簡易的な色校正も行われている。
【０００３】
カラープリンタ出力物による簡易的な色校正は、本機校正や平台校正を用いる場合に比べて、製版フイルムや刷版の作成が不要であり、短時間に複数回印刷することができ、また、印刷コストが低いという利便性がある。非特許文献１にあるように、この方法は現在の製版の現場では主流になっており、印刷機よりも印刷コストが低く、手軽なカラープリンタで最終印刷の色をシミュレートした出力を行うことができる。
【０００４】
また、カラープリンタ等で出力することなく、最終印刷の色をシミュレートするための方法として、投影手段による色校正装置がある。例えば特許文献１に記載されている。
【０００５】
しかし、カラープリンタで色校正する場合、カラープリンタ専用のプリンタ用紙で印刷をする必要があり、最終印刷形態である印刷本機で使用する印刷用紙（本紙）が使用できないという問題点がある。そのためカラープリンタでプリンタ用紙に印刷して色校正を行っても、プリンタ用紙の紙白や材質等が本紙と異なるとき、視覚的一致度が低くなってしまうため、最終印刷物の仕上がり具合を忠実にシミュレートして色校正できないという問題点が生じている。
【０００６】
また、特許文献１に記載した投影手段で色校正する場合も同様に、スクリーン等、投影される媒体の材質が本紙と異なり、視覚的一致度が低くなってしまうため、投影する環境を整えなければ、最終印刷物の仕上がり具合を忠実にシミュレートして色校正できないという問題点が生じている。
【０００７】
【特許文献１】特開平７−３０１９１０号公報
【非特許文献１】ＤＴＰＷＯＲＬＤ編集部編、「ＤＴＰ＆印刷スーパーしくみ事典２００４年度版」、ワークスコーポレーション、２００４年２月２６日、Ｐ２７０−２７１
【発明の開示】
【発明が解決しようとする課題】
【０００８】
本発明は、このような事情の下になされ、用紙へ印刷せずに、画像投影手段による投影像を用いて本紙に投影することで、印刷用紙の紙白と材質の違いや、スクリーン等、投影される媒体の材質の違いによる視覚的一致度の低下がなく、あたかも本紙に印刷したような印刷像を観察者に提示する簡易的な色校正装置を提供することを目的とする。
【課題を解決するための手段】
【０００９】
本発明は、上述の課題に鑑みてなされたもので、最終的な印刷の色をシミュレートした印刷像を投影するための画像投影手段と、前記画像投影手段から出力された印刷像を投影するための印刷用紙を有する簡易色校正装置を提供する。
【００１０】
また、好ましくは前記画像投影手段と前記印刷用紙は、外光を遮るようにした観察用ボックス内に設けられた簡易色校正装置である。
【００１１】
また、本発明は、最終的な印刷の色をシミュレートした印刷像を、画像投影手段によって印刷用紙に投影し、色校正を行う簡易色校正方法である。
【発明の効果】
【００１２】
本発明は、カラープリンタでは印刷することができない、印刷本機の印刷で使用する本紙を用い、用紙へ印刷せずに、観察用ボックス内で印刷像を画像投影手段で投影することで、観察者は、投影像であることを認識させるような画像投影手段等が周辺視野に入らず、投影部分のみを観察する手段を有するので、あたかも本紙に印刷したような印刷像を目視確認して色校正を行うことができるという効果を奏する。
【発明を実施するための最良の形態】
【００１３】
以下に、本発明の代表的な実施形態を挙げ、また図面を用いることにより本発明をより詳細に説明する。
【００１４】
図１は、本発明の簡易色校正装置の概略である。画像投影手段による色校正を行う場合、画像投影手段で投影したものを、印刷物として観察者に認識させることは難しいが、それをあたかも紙に印刷してあるように見せるために、投影像以外の画像投影手段等が視野に入らない観察用ボックス内にて、観察者に画像投影手段による投影像を提示するのが好ましい。
【００１５】
そのために、投影像を目視確認するための小窓４のついた観察用ボックス１の中に、画像投影手段２、画像投影手段２からのカラーマッチング後の印刷像を投影するためのスクリーンとなる、印刷本機で使用する印刷用紙３を配置する。そして、画像投影手段２の投影により印刷の色をシミュレートするためにカラーマッチングをしたデジタルデータの印刷像が、印刷用紙３に投影され、その投影像を小窓４から観察者５が確認する仕組みである。
【００１６】
画像投影手段としては、３管（ＣＲＴ）プロジェクタ、液晶（ＬＣＤ）プロジェクタなどのデジタルデータの画像を投影する能力のある投影装置が好適に使える。また、印刷用紙としては、もちろん本機印刷で使用予定の印刷用紙が好ましいが、印刷までに用紙が手に入らないこともあるため、その場合は同じ発色特性のある印刷用紙で代用することも可能である。
【００１７】
観察ボックス１は、画像投影手段２から投影された光が観察ボックス内で反射して、投影像のコントラストが低下するのを防ぐために、内壁にはつやの無い黒い紙などを貼ったり、つや消し黒の塗料を塗るなどの光が極力反射しない工夫をすることが好ましい。また、投影像以外のもの、例えば内壁や画像投影手段２が観察者５の周辺視野に入らず、観察者５は投影像のみを目視できるように、画像投影手段２、本紙３、小窓４を配置するのが好ましい。
【００１８】
次に、本発明に係る実施形態の処理の例を、図２のフローチャートに基づいて説明する。
【００１９】
デバイスプロファイル作成（フローチャートの１００）
印刷本機をターゲットとして、印刷本機で本紙に印刷したカラーチャートを測色計にて測色して、その測色データから、印刷本機のデバイスプロファイルを作成する。次に、デスティネーション側の、画像投影手段２から本紙に投影されたカラーチャートを測色計にて測色して、その測色データから、画像投影手段２のデバイスプロファイルを作成する。
【００２０】
カラーマッチング（フローチャートの１０１）
印刷本機と画像投影手段２のそれぞれのデバイスプロファイルを用いて、印刷本機で出力される色を、画像投影手段２でシミュレートするために、印刷本機のＣＭＹＫデバイス値を、印刷本機のデバイスプロファイルで均等色空間の例えばＬａｂ測色値に変換する。その後、Ｌａｂ測色値を、画像投影手段２のデバイスプロファイルを用いて画像投影手段２のＲＧＢデバイス値へ変換する。
【００２１】
画像投影手段による投影（フローチャートの１０２）
上記フローチャート１０１の作業により、印刷本機のＣＭＹＫデバイス値を出力した時の色が、画像投影手段２のＲＧＢデバイス値を投影したときの色でシミュレートされるので、画像投影手段２による投影によって、求めている印刷像が得られる。
【００２２】
投影像の目視確認（フローチャートの１０３）
最終的な印刷の色をシミュレートした印刷像を、観察ボックス１内の画像投影手段２によって、本紙３に投影することで、観察者５はその投影像をあたかも本紙に印刷してあるように小窓４から目視確認することができる。
【００２３】
以上の実施形態の処理を施し、最終印刷の色を投影像によってシミュレートすることで、その後、投影像を用いて簡易に色校正を実施することができる。
【産業上の利用可能性】
【００２４】
本発明は、用紙へ印刷せずに画像投影手段で印刷像を投影して、印刷時の色校正を行う簡易的な色校正装置に利用可能である。
【図面の簡単な説明】
【００２５】
【図１】本発明の簡易色校正装置の概略を示す説明図である。
【図２】本発明の処理を示すフローチャートである。
【符号の説明】
【００２６】
１・・・観察用ボックス
２・・・画像投影手段
３・・・本紙（印刷本機で使用する印刷用紙）
４・・・小窓（色校正具合確認用）
５・・・観察者
【図１】
2006308637.tif 000003
【図２】
2006308637.tif 000004